(57)【要約】【課題】本発明はアプリケーションストアのために非排他的なページを生成する方法、装置及び対応したコンピューター機器、非揮発性メモリなどを提供する。【解決手段】当該方法によれば、第１アプリケーションを確定するステップと、前記第１アプリケーションのテーマと一致するアイコンオブジェクトを取得するステップと、取得した前記アイコンオブジェクトを含む前記非排他的なページを生成するステップと、を実行することによって、非排他的なページを生成する。【選択図】図１ａ
2018026092.tif 000002
【特許請求の範囲】
【請求項１】
第１アプリケーションを確定するステップａと、
前記第１アプリケーションのテーマと一致するアイコンオブジェクトを取得するステップｂと、
取得した前記アイコンオブジェクトを含む前記非排他的なページを生成するステップｃと、を含む
ことを特徴とするアプリケーションストアのために非排他的なページを生成する方法。
【請求項２】
前記第１アプリケーションのテーマと一致する背景を取得するステップをさらに含み、
前記ステップｃはさらに、
取得した前記アイコンオブジェクト及び前記背景を含む前記非排他的なページを生成するステップを含む
ことを特徴とする請求項１に記載の方法。
【請求項３】
前記ステップｂはさらに、
前記第１アプリケーションのテーマと一致する少なくとも２つのアイコンオブジェクトを取得するステップを含み、
前記ステップｃはさらに、
前記非排他的なページを生成するステップを含み、ここで、前記非排他的なページにおいて、取得した前記背景がその全体背景とされ、且つ前記非排他的なページにおける全てのアイコンが前記ステップｂで取得したアイコンオブジェクトである
ことを特徴とする請求項２に記載の方法。
【請求項４】
前記ステップｂはさらに、
取得した前記アイコンオブジェクトを利用して、取得した、前記第１アプリケーションのテーマと一致するアイコンオブジェクトを含む少なくとも２つのアイコンオブジェクト間で動的に反転できる動的アイコンを生成するステップを含み、
前記ステップｃはさらに、
前記動的アイコンを含む前記非排他的なページを生成するステップを含む
ことを特徴とする請求項１又は２に記載の方法。
【請求項５】
前記第１アプリケーションのテーマと一致する
カード色値、
文字色、
フォント、
透明度
の何れか１つの項目を取得するステップをさらに含み、
前記ステップｃはさらに、
取得した前記アイコンオブジェクトを含み、且つ前記カード色値、前記文字色、前記フォント、前記透明度から取得した項目を表示する前記非排他的なページを生成するステップを含む
ことを特徴とする請求項１〜４の何れか１項に記載の方法。
【請求項６】
前記非排他的なページは複数のゲームのプロモーションに用いられ、前記第１アプリケーションは前記複数のゲームのうちの１つである
ことを特徴とする請求項１〜５の何れか１項に記載の方法。
【請求項７】
第１アプリケーションを確定する第１ユニットと、
前記第１アプリケーションのテーマと一致するアイコンオブジェクトを取得する第２ユニットと、
取得された前記アイコンオブジェクトを含む前記非排他的なページを生成する第３ユニットと、を備える
ことを特徴とするアプリケーションストアのために非排他的なページを生成する装置。
【請求項８】
前記第１アプリケーションのテーマと一致する背景を取得する第４ユニットをさらに備え、
前記第３ユニットはさらに、取得されたアイコンオブジェクト及び前記背景を含む前記非排他的なページを生成する
ことを特徴とする請求項７に記載の装置。
【請求項９】
前記第２ユニットはさらに、前記第１アプリケーションのテーマと一致する少なくとも２つのアイコンオブジェクトを取得し、
前記第３ユニットはさらに、前記非排他的なページを生成し、ここで、前記非排他的なページにおいて、取得された前記背景がその全体背景とされ、且つ前記非排他的なページにおける全てのアイコンが前記第２ユニットで取得されたアイコンオブジェクトである
ことを特徴とする請求項８に記載の装置。
【請求項１０】
前記第２ユニットはさらに、取得した前記アイコンオブジェクトを利用し、取得された、前記第１アプリケーションのテーマと一致するアイコンオブジェクトを含む少なくとも２つのアイコンオブジェクト間で動的に反転できる動的アイコンを生成し、
前記第３ユニットはさらに、前記動的アイコンを含む前記非排他的なページを生成する
ことを特徴とする請求項７又は８に記載の装置。
【請求項１１】
前記第１アプリケーションのテーマと一致する
カード色値、
文字色、
フォント、
の何れか１つの項目を取得する第５ユニットをさらに備え、
前記第３ユニットはさらに、取得された前記アイコンオブジェクト及び前記第５ユニットによって取得された項目を含む前記非排他的なページを生成する
ことを特徴とする請求項７〜１０の何れか１項に記載の装置。
【請求項１２】
前記非排他的なページは複数のゲームのプロモーションに用いられ、前記第１アプリケーションは前記複数のゲームのうちの１つである請求項７〜１１の何れか１項に記載の装置。
【発明の詳細な説明】
【技術分野】
【０００１】
本発明はスマートデバイスのアプリケーションストアに関し、特にアプリケーションストアのために非排他的なページを生成する方法及び装置に関する。
【背景技術】
【０００２】
アプリケーションストアにおいて、ユーザがアイコンをクリックすることによって次のページへ進むことが一般的である。例えば、「ゲーム」カテゴリにおいて、例えばロールプレイング、音楽リズムなどの異なるカテゴリのアイコンを提供し、ユーザは対応したアイコンをクリックすることによって当該カテゴリのゲームリストをさらにブラウジングする。
【０００３】
しかしながら、従来の非排他的なページは、あるアプリケーションをユーザに素早く利用することを可能にするための特徴を有せず、ユーザは当該アプリケーションの排他的なページへ進むまでに連続してクリックしなければならず、これにより、ユーザのオペランドが著しく浪費され、効率が低減される。
【発明の概要】
【発明が解決しようとする課題】
【０００４】
本発明の実施例によれば、非排他的なページを生成するための新しい手段を提供して、従来技術における上記問題とそれ以外の問題を解決することが望ましい。
【課題を解決するための手段】
【０００５】
具体的に、本発明の第１態様の実施例によれば、アプリケーションストアのために非排他的なページを生成する方法を提供し、この方法は、第１アプリケーションを確定するステップａと、前記第１アプリケーションのテーマと一致するアイコンオブジェクトを取得するステップｂと、取得した前記アイコンオブジェクトを含む前記非排他的なページを生成するステップｃと、を含む。
【０００６】
好ましくは、当該方法は、前記第１アプリケーションのテーマと一致する背景を取得するステップをさらに含み、ステップｃはさらに、取得した前記アイコンオブジェクト及び前記背景を含む前記非排他的なページを生成するステップを含む。
【０００７】
好ましくは、ステップｂはさらに、前記第１アプリケーションのテーマと一致する少なくとも２つのアイコンオブジェクトを取得するステップを含み、ステップｃはさらに、前記非排他的なページを生成するステップを含み、ここで、前記非排他的なページにおいて、取得した前記背景がその全体背景とされ、且つ前記非排他的なページにおける全てのアイコンがステップｂで取得したアイコンオブジェクトである。
【０００８】
好ましくは、ステップｂはさらに、取得した前記アイコンオブジェクトを利用して、取得した、前記第１アプリケーションのテーマと一致するアイコンオブジェクトを含む少なくとも２つのアイコンオブジェクト間で動的に反転できる動的アイコンを生成するステップを含み、ステップｃはさらに、前記動的アイコンを含む前記非排他的なページを生成するステップを含む。
【０００９】
好ましくは、当該方法はさらに、前記第１アプリケーションのテーマと一致するカード色値、文字色、フォント、透明度の何れか１つの項目を取得するステップをさらに含み、ステップｃはさらに、取得した前記アイコンオブジェクトを含み、且つ前記カード色値、前記文字色、前記フォント、前記透明度から取得した項目を表示する前記非排他的なページを生成するステップを含む。
【００１０】
好ましくは、前記非排他的なページは複数のゲームのプロモーションに用いられ、前記第１アプリケーションは前記複数のゲームのうちの１つである。
【００１１】
本発明の第２態様の実施例によれば、アプリケーションストアのために非排他的なページを生成する装置を提供し、この装置は、第１アプリケーションを確定する第１ユニットと、前記第１アプリケーションのテーマと一致するアイコンオブジェクトを取得する第２ユニットと、取得された前記アイコンオブジェクトを含む前記非排他的なページを生成する第３ユニットと、を備える。
【００１２】
好ましくは、当該装置はさらに、前記第１アプリケーションのテーマと一致する背景を取得する第４ユニットをさらに備え、前記第３ユニットはさらに、取得されたアイコンオブジェクト及び前記背景を含む前記非排他的なページを生成する。
【００１３】
好ましくは、第２ユニットはさらに、前記第１アプリケーションのテーマと一致する少なくとも２つのアイコンオブジェクトを取得し、前記第３ユニットはさらに、前記非排他的なページを生成し、ここで、前記非排他的なページにおいて、取得された前記背景がその全体背景とされ、且つ前記非排他的なページにおける全てのアイコンが前記第２ユニットで取得されたアイコンオブジェクトである。
【００１４】
好ましくは、第２ユニットはさらに、取得した前記アイコンオブジェクトを利用し、取得された、前記第１アプリケーションのテーマと一致するアイコンオブジェクトを含む少なくとも２つのアイコンオブジェクト間で動的に反転できる動的アイコンを生成し、前記第３ユニットはさらに、前記動的アイコンを含む前記非排他的なページを生成する。
【００１５】
好ましくは、当該装置はさらに、前記第１アプリケーションのテーマと一致するカード色値、文字色、フォント、の何れか１つの項目を取得する第５ユニットをさらに備え、前記第３ユニットはさらに、取得された前記アイコンオブジェクト及び前記第５ユニットによって取得された項目を含む前記非排他的なページを生成する。
【００１６】
好ましくは、前記非排他的なページは複数のゲームのプロモーションに用いられ、前記第１アプリケーションは前記複数のゲームのうちの１つである。
【００１７】
本発明の第３態様の実施例によれば、コンピュータ読み取り可能な非揮発性記憶媒体を提供し、この非揮発性記憶媒体は、コンピュータによって実行可能な命令を記憶し、前記命令が実行される場合に上記した何れか１項に記載の方法が実行される。
【００１８】
本発明の第４態様の実施例によれば、コンピュータ機器を提供し、このコンピュータ機器は、プロセッサと、前記プロセッサによって実行可能な命令を記憶したメモリとを含んみ、前記命令が前記プロセッサにより実行される場合に上記した何れか１項に記載の方法が実行される。
【００１９】
従来技術に比べ、本発明の実施例は以下の利点を有する：
１．非排他的なページで第１アプリケーションのテーマと一致するアイコンを提供し、それによって、ユーザは当該第１アプリケーションの排他的ページにアクセスする前に、既に第１アプリケーションを視覚的に認識して、当該第１アプリケーションに興味があれば、検索又は他のショートカット方式によって当該アプリケーションを直接ダウンロードでき、ユーザの操作を簡素化させるとともに、ユーザの操作によるサーバの処理負荷を軽減させる。
２．ユーザが視覚情報によって判断する心理的特性に基づき、アプリケーション（例えば、ゲーム）ユーザに適合する配布環境を造り、アプリケーションの配布効率をさらに高める。
３．アプリケーションブランドに対する全面的な宣伝方式を提供し、ゲーム内のアイコンなどの要素を非排他的なページ、例えばゲーム配布トップページに適用することをサポートし、主にプッシュするゲームの配布効率をさらに高める。
【００２０】
次に、以下の図面を参照しながら非限定的な実施例を詳細に説明することにより、本発明の他の特徴、目的および利点はより明らかになる。
【図面の簡単な説明】
【００２１】
【図１ａ】本発明の実施例に係るアプリケーションストアのために非排他的なページを生成する方法のフローチャートである。
【図１ｂ】本発明の他の実施例に係るアプリケーションストアのために非排他的なページを生成する方法のフローチャートである。
【図１ｃ】本発明の他の実施例に係るアプリケーションストアのために非排他的なページを生成する方法のフローチャートである。
【図２】本発明の１つの好ましい実施例により生成されたアプリケーションストアの非排他的なページのスクリーンショットである。
【図３】本発明の他の好ましい実施例により生成されたアプリケーションストアの非排他的なページのスクリーンショットである。
【図４ａ】本発明の実施例に係るアプリケーションストアのために非排他的なページを生成する装置のブロック図である。
【図４ｂ】本発明の他の実施例に係るアプリケーションストアのために非排他的なページを生成する装置のブロック図である。
【００２２】
図面において、同じ又は類似する符号は同じ又は類似する部品を示す。
【発明を実施するための形態】
【００２３】
例示的な実施例をさらに詳しく検討する前に、いくつかの例示的な実施例がフローチャートとして記述される処理又は方法として説明されることを理解すべきである。フローチャートは各操作を順序に従う処理として示すが、多くの操作は並行して、付随して又は同時に実行可能である。また、各操作の順序は再配置可能である。操作が完成した際に前記処理を終止できるが、図面に含まれない追加ステップをさらに含んでもよい。前記処理は、方法、関数、ルーチン、サブルーチン、サブプログラムなどに対応可能である。
【００２４】
文脈に言及される「コンピュータ機器」は「コンピュータ」とも言われ、所定のプログラム又は命令を実行することによって数値計算及び／又は論理計算などの所定処理過程を実行できるインテリジェント電子機器であり、プロセッサやメモリを含んでもよく、所定処理過程が、プロセッサがメモリに予め記憶された命令を実行することによって実行されるか、ＡＳＩＣ、ＦＰＧＡ、ＤＳＰなどのハードウェアによって実行されるか、又は、上記両方の組み合わせによって実現される。コンピュータ機器はサーバ、パソコン、ノートパソコン、タブレットコンピュータ、スマートフォンなどを含むが、これらに限らない。
【００２５】
前記コンピュータ機器はユーザ機器とネットワーク機器を含む。前記ユーザ機器はコンピュータ、スマートフォン、ＰＤＡなどを含むが、これらに限らず、前記ネットワーク機器は単一のネットワークサーバ、複数のネットワークサーバで構成されるサーバグループ、或いはクラウドコンピューティング（Ｃｌｏｕｄ  Ｃｏｍｐｕｔｉｎｇ）に基づいて大量のコンピュータ又はネットワークサーバで構成されるクラウドを含むが、これらに限らず、ここで、クラウドコンピューティングは分散型コンピューティングの一種であり、疎結合される複数のコンピュータセットで構成されるスーパーバーチャルコンピュータである。前記コンピュータ機器は、単独に動作することによって本発明を実現してもよく、ネットワークにアクセスしてネットワークにおける他のコンピュータ機器とのインタラクティブ操作によって本発明を実現してもよい。前記コンピュータ機器の位置するネットワークはインターネット、広域ネットワーク、メトロポリタンエリアネットワーク、ローカルエリアネットワーク、ＶＰＮネットワークなどを含むが、これらに限らない。
【００２６】
なお、前記ユーザ機器、ネットワーク機器及びネットワークなどは例示的なものに過ぎず、別の従来又は今後の出現可能なコンピュータ機器やネットワークは本発明に適用できる限り、本発明の保護範囲にも包含されるべきであり、援用によって本発明に組み込まれる。
【００２７】
以下に検討する方法（一部はフローチャートとして示される）はハードウェア、ソフトウェア、ファームウェア、ミドルウェア、マイクロコード、ハードウェア記述言語又はそれらの任意の組み合わせによって実現可能である。ソフトウェア、ファームウェア、ミドルウェア又はマイクロコードによって実施する場合、必要なタスクを実施するためのプログラムコード又はコードスニペットはデバイス又はコンピュータ読み取り可能な媒体（例えば記憶媒体）に記憶されてもよい。（１つ又は複数の）プロセッサは必要なタスクを実行できる。
【００２８】
ここで開示する具体的な構造や機能の詳細はただ代表的なものに過ぎず、且つ本発明の例示的な実施例を説明することを目的とする。本発明は、多くの代替形態によって具体的に実現されてもよく、ここで説明する実施例のみに制限されると解釈されない。
【００２９】
なお、各ユニットを説明する時に専門用語「第１」、「第２」などを使用するが、これらのユニットはこれらの専門用語に制限されないことを理解すべきである。１つのユニットと別のユニットを区別するために、これらの専門用語が使用される。例えば、例示的な実施例の範囲を脱逸せずに、第１ユニットは第２ユニットと称されてもよく、同様に、第２ユニットは第１ユニットと称されてもよい。ここで使用する専門用語「及び／又は」は１つ又は複数の列記した関連項目の任意の組み合わせと全ての組み合わせを含む。
【００３０】
なお、１つのユニットが別のユニットに「接続」又は「結合」されるように説明する際に、前記別のユニットに直接接続又は結合されてもよく、又は中間ユニットが存在してもよい。これに対して、１つのユニットが別のユニットに「直接接続」又は「直接結合」されるように説明する際に、中間ユニットが存在しない。類似して、ユニット同士の関係を説明するための他の用語（例えば「…の間に位置する」と「…の間に直接位置する」、「…と隣接する」と「…と直接隣接する」）の意味も同様である。
【００３１】
ここで使用する専門用語は具体的な実施例を説明するに過ぎず、例示的な実施例を制限することを意図しない。文脈に断らない限り、使用する単数形式の「１つ」、「１項」は複数を含むことも意図する。さらに、ここで使用する専門用語 「含む」及び／又は「包含」は記述する特徴、整数、ステップ、操作、ユニット及び／又は部品の存在を示し、１つ又は複数の他の特徴、整数、ステップ、操作、ユニット、部品及び／又はその組み合せの存在や追加を排除しないことを理解すべきである。
【００３２】
さらに、いくつかの置換実施形態では、言及した機能／動作は図面に示される順序と異なる順序で発生してもよい。例えば、かかる機能／動作によって、相次いで示す２枚の図については、実際に大体同時に実行されてもよく、時々逆の順序で実行されてもよい。
【００３３】
図１ａには、本発明の第１態様の実施例に係るアプリケーションストアのために非排他的なページを生成する方法のフローチャートが示される。文脈に断らない限り、「非排他的な」はあるアプリケーション、特に、例えばある種類のアプリケーションのトップページ、例えば、「ゲーム」カテゴリのトップページ、又はゲームにおける「ＲＰＧゲーム」カテゴリのトップページ、又は「人気ゲーム」のブラウジングページや、「有料ゲームＴＯＰ１０」のページなどに専属しないと理解すべきである。以下、一般性を失うことなく、アプリケーションストアにゲームカテゴリの非排他的なページを生成することを例として本発明の各態様を説明するが、当業者であれば、本発明の開示内容に基づき、例えばオフィス、親子、音楽又はテレビアプリケーションに非排他的なページを生成する場合に容易に応用できる。本発明の保護範囲は添付している特許請求の範囲によって制限され、ゲームアプリケーションに制限される非排他的なページの生成方法、装置として理解すべきでない。
【００３４】
図１ａの例によれば、当該方法は、
第１アプリケーション、例えば、推奨するゲームを確定するステップＳ１０と、
この第１アプリケーションのテーマと一致するアイコンオブジェクトを取得するステップＳ１２と、
取得したアイコンオブジェクトを含む当該非排他的なページを生成するステップＳ１４と、を含む。
【００３５】
当該方法において、ステップＳ１０の典型的な実施形態によれば、システムの予め定義された情報を読み取り、例えば、管理者／システム操作者が事前に確定した第１アプリケーションを識別する。好ましくは、ステップＳ１０の実施形態として、ステップＳ１０において、システムが管理者／システム操作者に第１アプリケーションの識別コード又は名称を手動で入力するように通知し、当該入力に基づいて第１アプリケーションの確定を完成し、又は、ステップＳ１０において、当該方法を実行する設備（例えば、当該アプリケーションストアのネットワークサーバ）は近頃のゲームダウンロード数又は他の統計情報に基づいて当該第１アプリケーション（又は第１ゲームと呼ばれる）を確定する。
【００３６】
第１アプリケーションを確定した後に、ステップＳ１２に移行する。
【００３７】
ステップＳ１２において、この第１アプリケーションのテーマと一致するアイコンオブジェクトを取得する。具体的に、本実施例によれば、アプリケーションストアのネットワークサーバに、第１アプリケーションとして確定される可能性がある複数のアプリケーションのそれぞれのテーマと一致するアイコンオブジェクトを事前に記憶してもよく、これらのアイコンオブジェクトがステップＳ１２に専用されることができる。これによって、第１アプリケーションが確定された後に、すぐメモリから当該第１アプリケーションのテーマと一致するアイコンオブジェクトを読み取ることができる。
【００３８】
ステップＳ１２の１つの代替形態によれば、第１アプリケーションを確定した後に、コンピュータ機器は当該第１アプリケーションのデータファイルを読み取り、データファイルからアイコンファイルを抽出し、抽出したアイコンファイルに基づいて所望のアイコンオブジェクトを取得する。しかしながら、ゲームアプリケーションのデータファイルが暗号化される可能性があるため、多くの場合に前記一番目の形態はより実現可能であり、但し、前記一番目の形態では、第１アプリケーションのプロバイダー、又はアプリケーションストアのオペレータが、例えば、サーバに各潜在的な第１アプリケーションのテーマと一致するアイコンオブジェクトをアップロード、インポートする準備作業を事前に行う必要がある。
【００３９】
本発明の内容では、第１アプリケーションのテーマと一致することについては、色調、視覚環境などの面でほぼ一致してもよく、当該第１アプリケーションの特有の特徴を有してもよく、例えば、アイコンオブジェクトに第１アプリケーションのみに存在する目標画像が含まれ、前記目標画像は顔画像、武器、建物を含むが、これらに限らない。上記した「一致」は完全に同じではなく、ほぼ一致することであり、当該第１アプリケーションの視覚的特徴を体現できればよい。
【００４０】
本例では、当該方法はステップＳ１２を完成した後に、ステップＳ１６に移行する。
【００４１】
ステップＳ１６では、取得した第１アプリケーションのテーマと一致するアイコンオブジェクトを含む非排他的なページを生成する。
【００４２】
図１ｂは本発明の他の実施例に係るアプリケーションストアのために非排他的なページを生成する方法のフローチャートであり、当該実施例は図１ａに示す例の１つの基礎的な変形例とみなされてもよい。
【００４３】
図１ｂに示す例では、ステップＳ１０とＳ１２は図１ａに示す例と類似するため、ここで詳細な説明を省略する。ステップＳ１４において、非排他的なページを生成する前に、ステップＳ１０で確定した第１アプリケーションのテーマと一致する背景を取得し、当該背景は好ましくはステップＳ１２で確定したアイコンオブジェクトの背景とし、且つその色、パターンなどのプロパティによって第１アプリケーションのテーマと一致し、例えば、色が当該第１アプリケーションにおけるゲームインターフェースの主な色調と一致することや、当該背景には、当該第１アプリケーションの特有のパターンや画像（例えば情景画像など）が配置されていることのうち、少なくとも１項又は複数項を満たすが、これらに制限されない。同様に、本例では、当該背景が第１アプリケーションと完全に同じであるほど要求されず、編集、変形した背景や、当該非排他的なページのために専門的に生成する背景であってもよい。もちろん、第１アプリケーションと完全に同じ背景はステップＳ１４の１つの例であってもよい。
【００４４】
次のステップＳ１６’では、非排他的なページを生成し、好ましくは、ステップＳ１４で取得した背景をステップＳ１２で取得したアイコンオブジェクトの背景とする。
【００４５】
なお、図１ｂにおいて、ステップＳ１４をステップＳ１２の後に示すが、実際に実行する時に、ステップＳ１４とＳ１２の順序について特に制限がなく、それらは同時に実行されてもよく、ステップＳ１４をステップＳ１２の前に実行してもよく、図１ｂに示すものは例示的な例に過ぎない。
【００４６】
図１ｃは本発明の他の一実施例に係るアプリケーションストアのために非排他的なページを生成する方法のフローチャートである。
【００４７】
上記の例と同様に、まず第１アプリケーションを確定する。
【００４８】
次に、ステップＳ１２’では、第１アプリケーションのテーマと一致するアイコンオブジェクトを取得する。
【００４９】
続いて、ステップＳ１２’では、取得したアイコンオブジェクトを利用して、取得した第１アプリケーションのテーマと一致するアイコンオブジェクトを含む少なくとも２つのアイコンオブジェクト間で動的に反転できる動的アイコンを生成する。実際に使用する際に、このような動的アイコンは円形ポータルと呼ばれてもよく、当該円形ポータルの表面と裏面のうちの１つが前述取得したアイコンオブジェクトであってもよい。
【００５０】
好ましくは、１つの動的アイコンは複数の面を有してもよく、それらのジャンプ順序は事前に定義されてもよく、ランダムであってもよい。
【００５１】
好ましくは、１つの非排他的なページはこのような動的アイコンを複数含んでもよく、これら動的アイコンのジャンプタイミングは管理者によって事前に設定されてもよく、又はランダムに決定されてもよい。一例では、１つのページにおける複数の動的アイコンは順番に反転することができる。
【００５２】
当業者であれば、図１ｃに示す例はさらに１つの変形例があることを理解でき、その変形例では、図１ｂに示すステップＳ１４を追加してもよく、それによって、最後に生成する非排他的なページにおいて、当該動的アイコンが第１アプリケーションのテーマと一致する背景に表示される。
【００５３】
１つの例（図示せず）として、第１アプリケーションを確定した後に、さらに、
第１アプリケーションのテーマと一致する
カード色値、
文字色、
フォント、
透明度の何れか１つの項目を取得するステップを含んでもよく、
次に生成する非排他的なページは、前述アイコンオブジェクト又は動的アイコンを含む以外、カード色値、文字色、フォント、透明度から取得した項目を表示する。これらの設定はクラウド制御で配布されてもよい。実際の効果と設定データとの関係も事前に設定されてもよく、例えば、メインテキストの色は設定された文字の色値であり、サブテキストの色は設定された文字の色値であるが４０％だけの透明度を表示し、分割線の色は設定されたフォント文字の値であるが４０％だけの透明度を表示する。図２〜３を参照すれば、さらに直観的に理解できる。
【００５４】
図２は本発明の１つの好ましい実施例で生成するアプリケーションストアの非排他的なページのスクリーンショットである。
【００５５】
前記図１ａ〜１ｂを参照しながら説明した例の具体的な実施形態を示す。本例では、第１アプリケーションは「クラッシュ・ロワイヤル（Ｃｌａｓｈ  Ｒｏｙａｌｅ）」と呼ばれるゲームである。図２の左半分は従来技術に基づく１つの実施形態を示し、ここで、アイコンオブジェクトの背景２０、アイコンオブジェクト２２（図２に１つだけが示されるが、実際に当該部分は十個がある）は何れも特徴のない可視化手段を採用する。
【００５６】
図示したページは非排他的なページと呼ばれ、これらのアイコン（アイコンオブジェクト２１を含む）からわかるように、
2018026092.tif 000003
の何れも次のページへ進むポータルであり、このページはクラッシュ・ロワイヤルというゲームの専用のものではないためである。
【００５７】
図２の右半分は、図１ａ〜１ｂに示す方法の使用効果を十分に示す。アイコンオブジェクト２１などに示すように、これらのアイコンオブジェクトは何れもクラッシュ・ロワイヤルというゲームのテーマと一致し、一般性を失うことなく、これらのアイコンオブジェクトは何れもクラッシュ・ロワイヤルゲームの特有のアイコンであるか、又はこのゲームの特有のアイコンを少し変更して生成するものであり、従って、それらは「クラッシュ・ロワイヤル」の明らかな視覚的な痕跡を有する。このため、この非排他的な親ページに、「クラッシュ・ロワイヤル」の強い視覚効果があり、ゲームプレイヤは次のページへブラウジングすることなく、このゲームに興味があるかどうかを初期判定することができる。
【００５８】
背景２３を参照して明らかなように、アイコンオブジェクト２１の背景を左側の薄色からクラッシュ・ロワイヤルゲームのテーマと一致する青色に変更し、従って、ページの全体的視覚効果はクラッシュ・ロワイヤルのゲームインターフェースに非常に近く、それによってゲームのプレイヤは初期視覚体験を取得し、性別を問わずこの体験が好きであれば、ランダムにゲームをブラウジングすることを停止して、素早くゲームダウンロードへ進むことができる。
【００５９】
さらに、文字部分２５を参照して明らかなように、メインテキスト
2018026092.tif 000004
の色は設定された文字の色値であるが４０％だけの透明度を示し、文字／アイコン間の分割線カラーは設定された文字の色値であるが４０％だけの透明度を示す。
【００６０】
図２は、第１アプリケーションのテーマと一致する少なくとも２つのアイコンオブジェクトを取得し（本例では１０個）、非排他的なページを生成する形態の１つの非限定的例であり、ここで、当該非排他的なページにおいて、取得した背景がその全体背景とされ、且つ当該非排他的なページにおける全てのアイコンがその前に取得したアイコンオブジェクトである。
【００６１】
図３は本発明のもう１つの好ましい実施例で生成するアプリケーションストアの非排他的なページのスクリーンショットである。
【００６２】
図１ｃに説明した方法によって生成する非排他的なページを示す。ステップＳ１２‘で生成する動的アイコンの正面と裏面は、例えば標識３０、３１によってそれぞれ示される。左図では、円形ポータル／動的アイコンが反転する前の状況は標識３０に示され、右図では、円形ポータル／動的アイコンが反転した後の状況は３１に示される。動的アイコン３０、３１の反転はランダムにトリガーされてもよく、定時にトリガーされてもよく、又はユーザの指がタッチパネルの対応位置にタッチする動作や、マウスホバーなどの動作によってトリガーされてもよい。
【００６３】
図４ａは本発明の実施例に係るアプリケーションストアのために非排他的なページを生成する装置のブロック図であり、示される装置４は図１ａにおける方法で実現される機能に大体対応する。文脈に断らない限り、「非排他的な」は特定のアプリケーション、特に例えばある種類のアプリケーションのトップページ、例えば、「ゲーム」カテゴリのトップページ、又はゲームにおける「ＲＰＧゲーム」カテゴリのトップページ、又は「人気ゲーム」のブラウジングページ、又は「有料ゲームＴＯＰ１０」のページなどに専属しない。以下、一般性を失うことなく、アプリケーションストアにゲームカテゴリの非排他的なページを生成することを例として本発明の各態様を説明するが、当業者であれば、本発明の開示内容に基づき本発明を、例えば、オフィス、親子、音楽又はテレビアプリケーションの非排他的なページを生成する場合に容易に適用できる。本発明の保護範囲は添付している特許請求の範囲によって制限され、ゲームアプリケーションだけに制限される非排他的なページの生成方法、装置として理解すべきでない。
【００６４】
図４ａの例によれば、当該装置４は、
第１アプリケーション、例えば、推奨するゲームを確定する第１ユニット４０と、
この第１アプリケーションのテーマと一致するアイコンオブジェクトを取得する第２ユニット４２と、
取得したアイコンオブジェクトを含む当該非排他的なページを生成する第３ユニット４４と、を備え。
【００６５】
典型的に、装置４はアプリケーションストアオペレータのネットワークサーバに設置されてもよい。
【００６６】
第１ユニット４０の代表的な実施形態によれば、システムの予め定義された情報を読み取り、例えば、管理者／システム操作者が事前に確定した第１アプリケーションを識別する。好ましくは、第１ユニット４０は、管理者／システム操作者に第１アプリケーションの識別コード又は名称を手動で入力するように通知し、当該入力に基づいて第１アプリケーションを確定してもよい。又は、第１ユニット４０は、近頃のゲームダウンロード数又は他の統計情報に基づいて当該第１アプリケーション（又は第１ゲームと呼ばれる）を確定してもよい。
【００６７】
確定された第１アプリケーションは第２ユニット４２に提供される。
【００６８】
第２ユニット４２はこの第１アプリケーションのテーマと一致するアイコンオブジェクトを取得する。本実施例によれば、具体的に、アプリケーションストアのネットワークサーバに第１アプリケーションとして確定される可能性がある複数のアプリケーションのそれぞれのテーマと一致するアイコンオブジェクトを事前に記憶して、これらのアイコンオブジェクトを第２ユニット４２の操作に専用することができる。これによって、第１アプリケーションが確定された後に、直ぐメモリから当該第１アプリケーションのテーマと一致するアイコンオブジェクトを読み取ることができる。
【００６９】
第２ユニット４２の実行する上記操作の１つの代替形態によれば、第１アプリケーションを確定した後に、コンピュータ機器は当該第１アプリケーションのデータファイルを読み取り、データファイルからアイコンファイルを抽出し、抽出したアイコンファイルに基づいて所望のアイコンオブジェクトを取得する。しかしながら、ゲームアプリケーションのデータファイルが暗号化される可能性があるため、多くの場合に前記一番目の形態は実現可能であり、但し、前記一番目の形態では、第１アプリケーションのプロバイダー、又はアプリケーションストアのオペレータが、例えば、サーバに各潜在的な第１アプリケーションのテーマと一致するアイコンオブジェクトをアップロード、インポートする準備作業を事前に行う必要がある。
【００７０】
本発明の内容では、第１アプリケーションのテーマと一致することについては、色調、視覚環境などの面でほぼ一致してもよく、当該第１アプリケーションの特有の特徴を有してもよく、例えば、アイコンオブジェクトに第１アプリケーションのみに存在する目標画像が含まれ、前記目標画像は顔画像、武器、建物を含むが、これらに限らない。上記した「一致」は完全に同じではなく、ほぼ一致することであり、当該第１アプリケーションの視覚的特徴を体現できればよい。
【００７１】
本例では、第２ユニット４２は上記操作を完成した後に、取得したアイコンオブジェクトを第３ユニット４４に提供する。
【００７２】
第３ユニット４４は、取得した第１アプリケーションのテーマと一致するアイコンオブジェクトを含む非排他的なページを生成する。
【００７３】
図４ｂは本発明の他の一実施例に係るアプリケーションストアのために非排他的なページを生成する装置の模式的ブロック図であり、当該実施例は図４ａに示す例の１つの基礎的な変形例とみなされてもよい。
【００７４】
図４ｂに示す例では、第１ユニット、第２ユニットは図４ａに示す例と類似するため、ここで詳細な説明を省略する。第３ユニット４４が非排他的なページを生成する前に、第４ユニット４６によって第１ユニット４０が確定した第１アプリケーションのテーマと一致する背景を取得し、当該背景は好ましくは第２ユニット４２の確定したアイコンオブジェクトの背景とし、且つその色、パターンなどのプロパティによって第１アプリケーションのテーマと一致し、例えば、色が当該第１アプリケーションにおけるゲームインターフェースの主な色調と一致することや、当該背景には、当該第１アプリケーションの特有のパターンや画像（例えば情景画像など）が配置されていることのうち、少なくとも１項又は複数項を満たすが、これらに制限されない。同様に、本例では、当該背景が第１アプリケーションと完全に同じであるほど要求されず、編集、変形した背景や、当該非排他的なページのために専門的に生成する背景であってもよい。もちろん、第１アプリケーションと完全に同じ背景は第４ユニット４６の１つの例であってもよい。
【００７５】
次に、第３ユニット４４は非排他的なページを生成し、好ましく、第４ユニット４６が取得した背景を第２ユニット４２が取得したアイコンオブジェクトの背景とする。
【００７６】
なお、実際に実行する際、第２ユニット、第４ユニットの操作の順序について特に制限がなく、それらの操作は同時に実行されてもよく、任意の順番によって実行されてもよい。
【００７７】
次に、４ｂと図２を参照して別の例を説明する。第２ユニット４２は第１アプリケーションのテーマと一致する少なくとも２つ（本例では１０個）のアイコンオブジェクト２２を取得し、第４ユニット４６は第１アプリケーションのテーマと一致する背景２３を取得し、第３ユニット４４は、これに基づいて、図２の右半分に示す非排他的なページを生成し、ここで、当該非排他的なページにおいて、背景２３が全体の背景とされ、全てのアイコンが第２ユニット４２によって取得された上記１０個のアイコンオブジェクト２２である。
【００７８】
以下、図４ａと図３を参照して別の例を説明する。前例と同様に、まず第１ユニット４０によって第１アプリケーションを確定する。
【００７９】
次に、第２ユニット４２によって２つの操作を実行する：
まず、第１アプリケーションのテーマと一致するアイコンオブジェクトを取得する。
続いて、第２ユニット４２は取得したアイコンオブジェクトを利用して、取得した第１アプリケーションのテーマと一致するアイコンオブジェクトを含む少なくとも２つのアイコンオブジェクト間で動的に反転できる動的アイコンを生成する。実際に使用する際、このような動的アイコンは円形ポータルと呼ばれてもよく、当該円形ポータルの表面と裏面のうちの１つは前述取得したアイコンオブジェクトであってもよい。
【００８０】
好ましくは、１つの動的アイコンは複数の面を有してもよく、それらのジャンプ順序は事前に定義されてもよく、ランダムであってもよい。
【００８１】
好ましくは、１つの非排他的なページはこのような動的アイコンを複数含んでもよく、これらの動的アイコンのジャンプタイミングは管理者によって事前に設定されてもよく、ランダムに決定されてもよい。一例では、１つのページにおける複数の動的アイコンは順番に反転することができる。
【００８２】
当業者であれば、この例はさらに１つの変形例があることを理解でき、その変形例では、第４ユニット４６を追加しもよく、それによって、最後に生成する非排他的なページにおいて、当該動的アイコンが第１アプリケーションテーマと一致する背景に表示される。
【００８３】
１つの例（図示せず）として、第１アプリケーションを確定した後に、非排他的なページを生成する前に、さらに、
第１アプリケーションのテーマと一致する
カード色値、
文字色、
フォント、
透明度からの何れか１つの項目を取得するステップを含んでもよい。
【００８４】
次に生成する非排他的なページは、前述アイコンオブジェクト又は動的アイコンを含む以外、カード色値、文字色、フォント、透明度から取得した項目を表示する。これらの設定はクラウド制御で配布されてもよい。実際の効果と設定データとの関係も事前に設定されてもよく、例えば、メインテキストの色は設定された文字の色値であり、サブテキストの色は設定された文字の色値であるが４０％だけの透明度を表示し、分割線の色は設定されたフォント文字の値であるが４０％だけの透明度を表示する。
【００８５】
なお、本発明はソフトウェア及び／又はソフトウェアとハードウェアの組み合せにおいて実施されてもよく、例えば、本発明の各装置は、専用集積回路（ＡＳＩＣ）又は類似する何れかの他のハードウェア設備によって実現されてもよいことを注意すべきである。一実施例では、本発明のソフトウェアプログラムは、プロセッサによって実行されて前記ステップ又は機能を実現することができる。同様に、本発明のソフトウェアプログラム（関連するデータ構造を含む）はコンピュータ読み取り可能な記録媒体、例えば、ＲＡＭメモリ、磁気又は光学ドライブ又はフロッピーディスク及び類似する設備に記憶されてもよい。また、本発明の一部のステップ又は機能は、ハードウェア（例えば、プロセッサと協力して各ステップ又は機能を実行する回路）によって実現されてもよい。
【００８６】
当業者にとっては、本発明は上記例示的な実施例の詳細に制限されず、本発明の主旨や基本特徴を逸脱せずに、他の具体的な形態で実施してもよい。そのため、いずれにしても、本実施例は例示的なものに過ぎず、非限定的なものであり、本発明の範囲は上記の説明ではなく、添付している請求項によって制限され、従って、請求項の同等要件を満たす意味及び範囲内に入る全ての変化を、本発明に包含すべきである。請求項の符号はかかる請求項を制限するものと考えるべきではない。さらに、「含む」という用語は他のユニット又はステップを排除することではなく、単数は複数を排除することではない。請求項に述べる複数のユニット又は装置は、１つのユニット又は装置によってソフトウェア又はハードウェアで実現されてもよい。第１、第２などの用語は名称を示すものに過ぎず、特定の順序を示すものではない。
【図１ａ】
2018026092.tif 000005
【図１ｂ】
2018026092.tif 000006
【図１ｃ】
2018026092.tif 000007
【図２】
2018026092.tif 000008
【図３】
2018026092.tif 000009
【図４ａ】
2018026092.tif 000010
【図４ｂ】
2018026092.tif 000011
【外国語明細書】
2018026092000001.pdf